(57)【要約】【課題】必要な画像のみを表示させるデータ電送装置を提供すること。【解決手段】画像データは、パソコン１１０に記憶されている圧縮ソフトにより圧縮される。圧縮された画像はデータ一時記憶装置に置かれる。次に、圧縮された画像は、インターフェース１１０ａを介して送信側無線電送装置１２０に送られる。圧縮された画像は高周波変調される。高周波変調された画像は空中線１２０ｆから電波として放射される。電波は受信側無線電送装置１３０の空中線１３０ｆに受信される。受信された電波は復調され、画像データを含むデジタル信号に変換される。復調された画像データを一時的にデータ一時保管１３０ｄに格納する。格納された画像データを圧縮解凍素子を用いて解凍する。解凍された画像データを一時的にデータ一時保管１３０ｄに格納する。次に、このデータをディジタル−アナログ変換を行う。変換されたアナログ画像をケーブルを介して画像表示装置１４０に送る。【選択図】    図２
2004207832.tif 000002
【特許請求の範囲】
【請求項１】
手動又は自動で選択された画像データを入力するインターフェースと、
前記画像データを電送するために圧縮する制御手段と、
前記制御手段で圧縮したデータを電送する電送部
を有するデータ電送装置。
【請求項２】
入力された画像データから電送すべきデータを選択し、選択された画像データを圧縮する制御手段と、
前記制御手段で圧縮したデータを電送する電送部
を有するデータ電送装置。
【請求項３】
前記電送部がトランシーバである請求項１又は２記載のデータ電送装置。
【発明の詳細な説明】
【０００１】
【発明の属する技術分野】
本発明はパソコン間やパソコンと液晶プロジェクタ装置間のように大量のデータを高速に通信するデータ通信に用いられる無線通信装置とその無線装置を制御するためのソフトウエアの技術分野に属する。
【０００２】
【従来の技術】
近年、パソコンの表示装置に表示された情報を他の表示媒体、例えば他のパソコン、液晶プロジェクタや投影装置等に電送し、その内容を表示する事が可能である。しかし、パソコンの表示装置に表示されている情報で他の表示媒体で常時表示される形式のものを多く見受けられる。このデータ電送の方式はパソコンの表示装置に送るビデオ信号を直接他の表示装置に電送する形式のものが主流だからである。
【０００３】
従来の電送装置では、リモコン２ｃ から１ 画面中の高画質としたい領域を選択し、この領域に関する情報（画面選択信号）をリモート側画像伝送装置１ に供給する。リモート側画像伝送装置１ において、エンコーダ１１ は、カメラ１ａ から供給された画像データが画面選択信号によって指定されている高画質としたい領域である場合とそれ以外の領域との場合とで、内部の量子化テーブルの選択を変えて画像データを符号化し、送信バッファメモリ１３を介してローカル側画像伝送装置２ に画像データを伝送する。このとき、エンコーダ１１ は、伝送路３ の伝送レートに応じて、１ 画面全体での画像データのデータ量が等しくなるように量子化テーブルを選択する。（特許文献１参照）
【０００４】
【特許文献１】特開平１１−１４６３９５号公報
【０００５】
【発明が解決しようとする課題】
従来の電送装置では、その方式ではパソコンの表示装置に映し出された映像は全て表示されてしまい、本来表示する必要のない情報や表示したくない情報まで表示してしまう。反面、パソコンから無線装置を経由して液晶プロジェクタに表示する場合は表示されている内容では無く、パソコンの磁気記憶媒体、例えばハードディスクやコンパクトディスクに格納された情報を記憶媒体から読み出して電送する方法が取られている場合が一般的である。この方法では複数の磁気記憶媒体からの情報を同一手法でデータ電送出来る利点があるが、磁気記憶媒体に格納された情報が表示された後に、表示画面上に書き込まれた情報を電送する事は出来ない。
【０００６】
本発明は画像等のデータを転送及び表示をする際にパソコンの画面に表示されている内容を常に電送表示するのではなく、送付したい内容のみを選択して送る事を課題とする。
【０００７】
【課題を解決するための手段】
本発明のデータ電送装置は、手動又は自動で選択された画像データを入力するインターフェースと、前記画像データを電送するために圧縮する制御手段と、前記制御手段で圧縮したデータを電送する電送部を有する。
【０００８】
また、本発明のデータ電送装置は、入力された画像データから電送すべきデータを選択し、選択された画像データを圧縮する制御手段と、前記制御手段で圧縮したデータを電送する電送部を有する。
【０００９】
また、本発明のデータ電送装置は、前記電送部がトランシーバである。
【００１０】
【発明の実施の態様】
【００１１】
【実施例１】
本発明の実施の態様を図面に基づいて説明する。図１は、無線装置の構造を示した模式図である。パーソナルコンピュータ（パソコン）１１０には、外部とのデータをやり取りするインターフェース１１０ａがある。インターフェース１１０ａは送信側無線電送装置１２０のインターフェース１２０ａと接続する。パソコン１１０からのデータは、インターフェース１２０ａを介して送信側無線電送装置１２０の制御用マイクロコンピュータ１２０ｃに入力される。前記データは、制御用ソフト及び記憶装置１２０ｂに記憶されたプログラムにより、処理されてトランシーバ１２０ｅに送られる。なお、プログラムの処理により前記データはデータ一時保管１２０ｄに一時的に記憶される。そして、前記データはトランシーバ１２０ｅから空中線１２０ｆを介して、受信側無線電伝装置１３０に送信される。
【００１２】
受信側無線電伝装置１３０は、空中線１３０ｆを介してトランシーバ１３０ｅにて前記データを受信する。トランシーバ１３０ｅに入力された前記データは、制御用マイクロコンピュータ１３０ｃで、制御用ソフト及び記憶装置１３０ｂに記憶されたプログラムにより処理される。また、必要に応じて、データ一時保管１３０ｄに一時的に記憶される。そして、制御用マイクロコンピュータ１３０ｃで処理されてデータは、インターフェース１３０ａを介して、液晶プロジェクタ装置１４０のインターフェース１４０ａへ送られる。
【００１３】
ここで、電送するべき画面を抽出する際に、通常はパソコン１１０のキーボード上で行う方法が一般的である。パソコン１１０のキーボードには、通常文字を入力するするキーとは別に特殊な機能を司るキーがある。例えば、矢印キーやスクロールキーは、パソコンに表示されている画面を前後に移動させる機能を持たせる事ができる。本実施例では、上向きの矢印キー↑は前の画面の表示、下向き矢印キー↓は次の画面を表示する機能を持たせる。この２キーを用いる事でパソコンの画面上で画面を上下に表示を切り替えさせる事が出来る。次にその画像を送る場合に、その命令をコンピュータに送る機能を持たせたキー、例えばコントロールキーを押す。このキーを押す事で初めて表示されている画像が電送される。
【００１４】
図２は、電送方式を示すフローチャートである。電送は次の手順で行われる。画像データは、パソコン１１０に記憶されている圧縮ソフトにより圧縮される（工程１０１）。圧縮方法には可逆法と不可逆法の方法があり、一般的に不可逆法は圧縮度が高く、ファイルサイズをより小さく出来る為、本実施例では不可逆法を用いた。圧縮された画像はデータ一時記憶装置に置かれる（工程１０２）。次に、圧縮された画像は、インターフェース１１０ａを介して送信側無線電送装置１２０に送られる（工程１０３）。圧縮された画像は高周波変調される（工程１０４）。例えば、変調方法は振幅変調を用い、送信周波数は３１５ＭＨｚ、送信速度は１メガビット毎秒の送信速度を用いる。高周波変調された画像は空中線１２０ｆから電波として放射される（工程１０５）。電波は受信側無線電送装置１３０の空中線１３０ｆに受信される（工程１０６）。受信された電波は復調され、画像データを含むデジタル信号に変換される（工程１０７）。復調された画像データを一時的にデータ一時保管１３０ｄに格納する（工程１０８）。格納された画像データを圧縮解凍素子を用いて解凍する（工程１０９）。解凍された画像データを一時的にデータ一時保管１３０ｄに格納する（工程１１０）。次に、このデータをディジタル−アナログ変換を行う（工程１１１）。変換されたアナログ画像をケーブルを介して画像表示装置１４０に送る（工程１１２）。
【００１５】
本実施例で示した表示用のキーを押すことで、初めてデータが転送される為、常時データを転送している場合と比較して画面が一度期に切り替わる故に、画面切り替え途中の乱れた画面を表示する事が無く、見た目良く表示が出来る利点を持っている。
【００１６】
図３は、コンピュータ画面と操作環境設定画面の位置関係を示す図である。
パソコン３１０は、キーボード３１１からデータを入力し、そのデータをパソコン３１０に内蔵されたハードディスク３１２に記憶する。パソコン３１０は、表示装置３１３、例えば液晶画面を有しており、各種データの入力や設定を表示させる。表示装置３１３の一部分が、設定表示画面３１３ａとなる。送信側無線電送装置３２０は、パソコン３１０のインターフェースに取付る。パソコン３１０のデータは、送信側無線電送装置３２０から受信側無線電送装置３３０に無線電送される。
【００１７】
受信側無線電送装置３３０は、液晶プロジェクタ装置３４０に取り付けられていて、送信側無線電送装置３２０から送られたデータを解読し、その内容を液晶プロジェクタ装置３４０に送る。液晶プロジェクタ装置３４０はスクリーン３５０のその内容を投影する。
【００１８】
コンピュータ１１０と画像表示装置１４０、例えば液晶プロジェクタを接続するとすると、有線で接続する場合は少なくとも赤、青、緑の３色信号、垂直同期、水平同期、接地の６線で接続する事になる。一方、無線の場合は通常１周波数を電送用に用いる為、受信データの確認行為を含まずとも５倍以上の時間がかかると想定される。従って、コンピュータ上で送る画像を確認してから、送りたい画像を電送する方法である事で目的以外の画像を電送する事無く目的の画面のみ電送が可能となる。
【００１９】
また、コンピュータ１１０と画像装置１４０を用いてプレゼンテーションを行う場合に、聴衆に取って不要な画像や見せる必要な画像をプレゼンを行う人はコンピュータ画面上で確認して、予め選択して電送する事が可能となる。
【００２０】
図４は、コンピュータ上の動作環境設定画面を示した図である。次に、ワンキャプチャー方式のキー割り当てを変更するためのオプション画面に付いて説明する。キーの割付はソフトウエアに因って異なる場合がある。従って、本実施例で示されたキーが、画像表示用に用いられているソフトウエアによって既に他の目的に用いられていた場合、新たなキーの割り振りが必要となる。また、ソフトウエアは一般的な値を初期値として持っている場合が多く、ソフトが動く環境は初期値及び初期値を変更した値で制御される。従って、使用環境に応じてその値を変えることが必要となる。
【００２１】
図４（ａ）は現在の環境設定状態を示している。本実施例では画像を電送する為の電送キーをコントロールキーと設定している。また、図４（ｃ）はスタンバイモードの状態を表す。図４（ｂ）ではプルダウンメニューによりコントロールキー以外のキーを選択出来る事を示しており、候補の中のキーを選択して電送キーに割り当てる事が出来る。本実施例では選択後に直ちに新設定が実施出来るソフトウエア設定とした。
【図面の簡単な説明】
【図１】無線装置の構造を示す模式図である。
【図２】基本的電送方式を表すフローチャートである。
【図３】コンピュータ画面と操作環境設定画面の位置関係を示す図である。
【図４】コンピュータ上の動作環境設定画面の一例を示す図であり、（ａ）は現在の設定状態を示す環境設定画面、（ｂ）は電送用キーの割り当て変更に関する環境設定画面、（ｃ）はスタンバイモード画面を示した図である。
【符号の説明】
１１０、３１０  パーソナルコンピュータ（パソコン）
１２０、３２０  送信側無線電送装置
１３０、３３０  受信側無線電送装置
１４０、３４０  液晶プロジェクタ
３５０  スクリーン
【図１】
2004207832.tif 000003
【図２】
2004207832.tif 000004
【図３】
2004207832.tif 000005
【図４】
2004207832.tif 000006